(57)【要約】【課題】ユーザの意図に応じて複数ページの画像データの送信を行うことができるとともに、複数ページの画像データをそれぞれ同じ宛先に対して個別のファイルとして送信する場合の操作を簡素化することができるデータ送信システムを提供する。【解決手段】デジタル複合機においては、入力された複数ページの画像データ（スキャナ部１０４で読み取られた複数枚の原稿またはメモリ１０９内に格納されている複数ページの文書）を送信する際に、全分割送信が指定された場合、入力された複数ページの画像データを１ページ単位で分割し、分割された各画像データをそれぞれ所定フォーマットで規定される個別のファイルとして送信する。【選択図】      図１
2004282322.tif 000002
【特許請求の範囲】
【請求項１】
入力された画像データを指定された宛先に送信するためのデータ送信システムにおいて、
入力された複数ページの画像データを送信する際の送信形態として、第１送信形態および第２送信形態のいずれかを指定する送信形態指定手段と、
前記指定された送信形態に応じて前記入力された複数ページの画像データの送信を行う送信手段とを備え、
前記送信手段は、前記第１送信形態が指定された場合、前記入力された複数ページの画像データを、所定フォーマットで規定される１つのファイルとして送信し、前記第２送信形態が指定された場合、前記入力された複数ページの画像データを所定単位で複数の画像データ郡に分割し、分割された各画像データ群をそれぞれ所定フォーマットで規定される個別のファイルとして送信することを特徴とするデータ送信システム。
【発明の詳細な説明】
【０００１】
【発明の属する技術分野】
本発明は、入力された画像データを指定された宛先に送信するためのデータ送信システムに関する。
【０００２】
【従来の技術】
データ送信システムとして、例えばデジタル複合機により構成されるものがある。このようなデータ送信システムにおいては、スキャナで読み取られた画像または外部から受信手段を介して取り込まれた画像などの入力された画像を指定された宛先へ送信する際に、予め設けられた画像変換機能を用いて、上記画像を指定された画像ファイル形式へ変換し、変換後の画像を送信することが可能である。例えばスキャナで複数枚の原稿を読み取ることによって得られた複数ページの画像を送信する際、まず、各ページの画像は、それぞれ、ユーザが指定した適切なファイルフォーマットの画像データに変換され、その後に、送信される。このとき、指定されたファイルフォーマットが１ファイルに複数ページを持つことが可能なものであれば、読み取られた文書の全ページが１ファイルにまとめられて送信される。ここで、１ファイルに複数ページを持つことが可能なファイルフォーマットとしては、例えばＴＩＦＦ（Ｔａｇ  Ｉｍａｇｅ  Ｆｏｒｍａｔ  Ｆｉｌｅ）、ＰＤＦ（Ｐｏｒｔａｂｌｅ  Ｄｏｃｕｍｅｎｔ  Ｆｏｒｍａｔ）などがある。
【０００３】
【特許文献１】
特開平９−１６３０６４号公報
【０００４】
【発明が解決しようとする課題】
しかしながら、上述したように、選択されたファイルフォーマットが１ファイルに複数ページを持つことが可能なものであれば、一度の送信で、読み取られた全ページの画像が１ファイルにまとめられて送信されるので、これがユーザの意図に沿ったものである場合には問題はないが、このような送信は、各ページの画像を、同じ宛先に対して別々のファイルとして１回の処理で送信したい場合などには応えることができない。よって、各ページの画像を、それぞれ同じ宛先に対して個別のファイルとして送信する場合、ユーザは、送信文書を所望の単位で分割し、それぞれの分割された文書を同じ宛先へ送信する、という操作を繰り返す必要があり、操作に手間が掛かる。
【０００５】
本発明の目的は、ユーザの意図に応じて複数ページの画像データの送信を行うことができるとともに、複数ページの画像データをそれぞれ同じ宛先に対して個別のファイルとして送信する場合の操作を簡素化することができるデータ送信システムを提供することにある。
【０００６】
【課題を解決するための手段】
本発明は、上記目的を達成するため、入力された画像データを指定された宛先に送信するためのデータ送信システムにおいて、入力された複数ページの画像データを送信する際の送信形態として、第１送信形態および第２送信形態のいずれかを指定する送信形態指定手段と、前記指定された送信形態に応じて前記入力された複数ページの画像データの送信を行う送信手段とを備え、前記送信手段は、前記第１送信形態が指定された場合、前記入力された複数ページの画像データを、所定フォーマットで規定される１つのファイルとして送信し、前記第２送信形態が指定された場合、前記入力された複数ページの画像データを所定単位で複数の画像データ郡に分割し、分割された各画像データ群をそれぞれ所定フォーマットで規定される個別のファイルとして送信することを特徴とする。
【０００７】
【発明の実施の形態】
以下、本発明の実施形態について図面を参照しながら説明する。
【０００８】
（第１実施形態）
図１は本発明の第１実施形態に係るデジタル複合機の構成を示すブロック図、図２は図１の操作部１０５に表示されるダイアログの一例を示す図である。
【０００９】
デジタル複合機は、コピー機能、プリンタ機能、データ送受信機能（ファクシミリ機能、電子メール機能を含む）などの複数の機能を有する。デジタル複合機は、図１に示すように、制御部１０２を備え、制御部１０２には、対応するインターフェース（図示せず）を介して、画像形成部１０１、フィニッシャー１０３、スキャナ部１０４、操作部１０５、受信インターフェース（以下、受信Ｉ／Ｆという）１０６、送信インターフェース（以下、送信Ｉ／Ｆという）１０７、およびカードリーダ１１０が接続されている。ここで、受信Ｉ／Ｆ１０６、送信Ｉ／Ｆ１０７は、ファクシミリ機能、電子メール機能、ファイル転送などの複数のデータ送受信機能に対応するものであり、実際には、それぞれの機能に対応するように、複数の受信Ｉ／Ｆ、送信Ｉ／Ｆから構成される。
【００１０】
制御部１０２は、ＣＰＵ１０８およびメモリ１０９を有し、ＣＰＵ１０８は、メモリ１０９に格納されているプログラムに従い上記各ブロックを制御するとともに、各種処理を実行する。
【００１１】
メモリ１０９内のプログラムには、入力された複数ページの画像データ（スキャナ部１０４で複数枚の原稿を読み取ることによって得られた複数ページの画像データまたはメモリ１０９内に格納されている複数ページから構成される文書）を送信する際の送信形態として、マルチページ送信および全分割送信のいずれが指定されたかを判定し、マルチページ送信が指定された場合、入力された複数ページの画像データを、所定フォーマットで規定される１つのファイルとして送信し、全分割送信が指定された場合、入力された複数ページの画像データを１ページ単位で分割し、分割された各画像データをそれぞれ所定フォーマットで規定される個別のファイルとして送信するように制御するプログラムが含まれる。
【００１２】
操作部１０５には、各種設定を行うための指示などを入力するための入力パネル（図示せず）および各種設定情報、メッセージなどを表示するための表示パネル（図示せず）が設けられている。操作部１０５において入力された指示などは、制御部１０２のＣＰＵ１０８に入力される。
【００１３】
本実施形態において、データ送信機能により所望の画像データを送信する際には、まず、操作部１０５からスキャナ部１０４による原稿の読取またはメモリ１０９に保存されている文書が指定されるとともに、操作部１０５から送信宛先、送信時の画像データのフォーマットおよび送信形態などが選択され、送信が依頼される。このような送信依頼を行う際には、例えば図２に示すようなダイアログが操作部１０５に表示される。このダイアログにおいては、宛先入力欄（ここでは、登録されている宛先一覧Ｓｕｚｕｋｉ＠Ｃｏｍｐａｎｙ．ｃｏｍ，ＭｙＳｅｖｅｒ．Ｃｏｍｐａｎｙ．ｃｏｍが選択可能に表示される）、データ送信種別入力欄（電子メール（Ｅ−ｍａｉｌ）、ファクシミリ送信（ＦＡＸ）、ファイル転送（Ｆｉｌｅ））、スキャナ部１０４による原稿読取時の読込設定欄、データ送信時のファイル種別入力欄（ＰＤＦまたはＴＩＦＦ）、送信形態入力欄（マルチページ送信または全分割送信（Ｓｉｎｇｌｅ  Ｐａｇｅ））などが表示され、それぞれの入力欄に対応する情報がユーザにより入力される。そして、これらの情報が入力されると、これらの情報を含む送信依頼が操作部１０５から制御部１０２に入力されることになる。
【００１４】
次に、本実施形態におけるデータ送信機能の処理について図３および図４を参照しながら説明する。図３および図４は図１のデジタル複合機におけるデータ送信機能の処理の手順を示すフローチャートである。この手順は、制御部１０２のＣＰＵ１０８がメモリ１０９に格納されているプログラムに従って実行するものである。ここで、上記データ送信機能によるデータ送信とは、電子メール（Ｅ−ｍａｉｌ）、ファイル転送（Ｆｉｌｅ）の場合のデータ送信をいう。
【００１５】
ＣＰＵ１０８は、図３に示すように、まず操作部１０５から入力された送信依頼を受け付ける（ステップＳ３０１）。この送信依頼には、送信対象とする画像データ名（スキャナ部１０４にセットされた原稿の読取または操作部１０５から指定されたメモリ１０９内の文書などの名称）、操作部１０５から入力された送信宛先名、指定された変換先ファイルフォーマット、指定された送信形態などが含まれる。そして、ＣＰＵ１０８は、上記受け付けられた送信依頼に基づいて、送信Ｉ／Ｆ１０７を介して、送信相手先と通信コネクションを確立するための処理を実行する（ステップＳ３０２）。
【００１６】
次いで、ＣＰＵ１０８は、上記コネクションの確立が成功したか否かを判定する（ステップＳ３０３）。ここで、上記コネクションの確立が成功していないと判定されると、ＣＰＵ１０８は、本処理を終了する。これに対し、上記コネクションの確立が成功したと判定されると、ＣＰＵ１０８は、上記受け付けられた送信依頼により指定された画像データ内に送信すべきページがあるか否か判定する（ステップＳ３０４）。
【００１７】
上記ステップＳ３０４において指定されたデータ内に送信すべきページがあると判定されると、図４に示すように、ＣＰＵ１０８は、送信すべきページのデータを、指定のファイルフォーマットのイメージデータに変換する（ステップＳ３０５）。続いて、ＣＰＵ１０８は、上記送信依頼に基づいて、指定された送信形態が全ページのデータを１ファイルとして送信するマルチページ送信か否かを判定し（ステップＳ３０６）、送信形態がマルチページ送信であると判定されると、ＣＰＵ１０８は、現在のページが指定されたデータの先頭ページであるか否かを判定する（ステップＳ３０７）。
【００１８】
上記ステップＳ３０７において現在のページが先頭ページであると判定されると、ＣＰＵ１０８は、送信ファイルを作成し（ステップＳ３０８）、この作成された送信ファイルに上記ステップＳ３０５で指定されたフォーマットに変換されたイメージデータを格納する（ステップＳ３０９）。続いて、ＣＰＵ１０８は、メモリ１０９内のページカウンタをインクリメントし（ステップＳ３１４）、処理を上記ステップＳ３０４に戻す。
【００１９】
上記ステップＳ３０７において現在のページが先頭ページでないと判定されると、ＣＰＵ１０８は、上記ステップＳ３０８をスキップして、上記ステップＳ３０５で指定されたフォーマットに変換されたイメージデータを上記送信ファイルに格納する（ステップＳ３０９）。すなわち、ここでは、先頭ページのイメージデータが既に格納されている送信ファイルに先頭ページ以降のページのイメージデータが格納される。
【００２０】
そして、マルチページ送信が指定されている場合において、全てのページのデータが指定されたフォーマットのイメージデータに変換され、送信すべきページがないと判定されると（ステップＳ３０４）、ＣＰＵ１０８は、マルチページ送信が指定されているか否かを判定する。ここでは、マルチページ送信が指定されているので、ＣＰＵ１０８は、全てのページのイメージデータが含まれるファイルを相手先に送信し（ステップＳ３１６）、当該ファイルをクローズする（ステップＳ３１７）。そして、ＣＰＵ１０８は、相手先との間で確立されたコネクションを切断し（ステップＳ３１８）、本処理を終了する。
【００２１】
上記ステップＳ３０６において指定された送信形態がマルチページ送信でないと判定された場合、すなわち指定された送信形態が１ページ１ファイルとして送信する全分割送信である場合、ＣＰＵ１０８は、上記ステップＳ３０５で指定されたフォーマットに変換されたイメージデータが含まれる送信ファイルを作成する（ステップＳ３１０）。すなわち、１ページ分のイメージを含む１つのファイルが作成される。そして、ＣＰＵ１０８は、上記作成された送信ファイルを相手先に送信し（ステップＳ３１２）、当該ファイルをクローズする（ステップＳ３１３）。
【００２２】
次いで、ＣＰＵ１０８は、メモリ１０９内のページカウンタをインクリメントし（ステップＳ３１４）、処理を上記ステップＳ３０４に戻す。そして、上記全分割送信が指定されている場合において、全てのページが送信され、送信すべきページがないと判定されると（ステップＳ３０４）、全てのページがそれぞれ個別のファイルとして送信されたので、ＣＰＵ１０８は、マルチページ送信が指定されているか否かを判定する。ここでは、マルチページ送信が指定されていないので、ＣＰＵ１０８は、相手先との間で確立されたコネクションを切断し（ステップＳ３１８）、本処理を終了する。
【００２３】
このように、本実施形態では、入力された複数ページの画像データ（スキャナ部１０４で複数枚の原稿を読み取ることによって得られた複数ページの画像データまたはメモリ１０９内に格納されている複数ページの文書）を送信する際に、全分割送信が指定された場合、入力された複数ページの画像データを１ページ単位で分割し、分割された各画像データをそれぞれ所定フォーマットで規定される個別のファイルとして送信するので、ユーザの意図に応じて複数ページの画像データの送信を行うことができるとともに、複数ページの画像データをそれぞれ同じ宛先に対して個別のファイルとして送信する場合の操作を簡素化することができる。
【００２４】
（第２実施形態）
次に、本発明の第２実施形態について図５ないし図７を参照しながら説明する。図５および図６は本発明の第２実施形態に係るデジタル複合機におけるデータ送信機能の処理の手順を示すフローチャート、図７は本発明の第２実施形態に係るデジタル複合機におけるページ分割を指示するダイアログである。
【００２５】
本実施形態は、上記第１実施形態と同じ構成を有し、その説明は省略する。ただし、本実施形態の説明においては、上記第１実施形態で用いた符号を用いることにする。
【００２６】
上記第１実施形態では、指定されたデータを分割して送信する際に、データを１ページ単位で分割し、１ページを１ファイルとして送信するように構成されているが、本実施形態では、指定されたデータを分割して送信する際の分割単位を指定することができる。例えば、分割単位としては、任意のページ数とすることができる。
【００２７】
具体的には、ユーザが文書を送信するための送信依頼を行う際には、例えば図７に示すようなダイアログが操作部１０５に表示される。このダイアログは、送信形態および送信時のファイル形式を指定するためのダイアログであり、例えば宛先が入力された後に表示されるものである。本例においては、送信形態として、マルチページ送信、全分割送信、指定分割送信のいずれかを指定することが可能である。また、指定可能な送信ファイル形式としては、上記第１実施形態と同様に、ＴＩＦＦ（Ｔａｇ  Ｉｍａｇｅ  Ｆｏｒｍａｔ  Ｆｉｌｅ）、ＰＤＦ（Ｐｏｒｔａｂｌｅ  Ｄｏｃｕｍｅｎｔ  Ｆｏｒｍａｔ）などがある。
【００２８】
ここで、マルチページ送信は、上述したように、送信データの全ページを指定されたフォーマットのイメージデータに変換し、各ページのイメージデータが含まれる１つファイルを作成して送信するものである。全分割送信は、送信データのページ毎にそのデータを指定されたフォーマットのイメージデータに変換し、各ページのイメージデータ毎にそれぞれ個別のファイルを作成して送信するものである。指定分割送信は、送信データを指定された分割単位で複数のページ群に分割し、各ページ群のページのデータを指定されたフォーマットのイメージデータに変換し、ページ郡毎に１つのファイルを作成して送信するものである。指定分割送信の場合、例えば図７に示すように、９ページのデータに対して、分割単位として、１−３，４−６，７−９と指定すれば、１−３ページの画像を含むファイルと、４−６ページの画像を含むファイルと、７−９ページの画像を含むファイルとが作成され、それぞれのファイルが同一の宛先に送信されることになる。
【００２９】
次に、本実施形態におけるデータ送信機能の処理について図５および図６を参照しながら説明する。図５および図６に示す手順は、制御部１０２のＣＰＵ１０８がメモリ１０９に格納されているプログラムに従って実行するものである。
【００３０】
ＣＰＵ１０８は、図５に示すように、まず操作部１０５から入力された送信依頼を受け付ける（ステップＳ４０１）。この送信依頼には、送信対象とするデータ名（スキャナ部１０４にセットされた原稿または操作部１０５から指定されたメモリ１０９内の文書などの名称）、操作部１０５から入力された送信宛先名、指定された変換先ファイルフォーマット、指定された送信形態などが含まれる。そして、ＣＰＵ１０８は、上記受け付けられた送信依頼に基づいて、送信Ｉ／Ｆ１０７を介して、送信相手先と通信コネクションを確立するための処理を実行する（ステップＳ４０２）。
【００３１】
次いで、ＣＰＵ１０８は、上記コネクションの確立が成功したか否かを判定する（ステップＳ４０３）。ここで、上記コネクションの確立が成功していないと判定されると、ＣＰＵ１０８は、本処理を終了する。これに対し、上記コネクションの確立が成功したと判定されると、ＣＰＵ１０８は、上記受け付けられた送信依頼に基づき送信ファイル数を取得する（ステップＳ４０４）。すなわち、ここでは、送信形態に応じて送信すべきファイル数が取得される。例えば、マルチページ送信が指定されている場合、送信すべきファイル数は１であり、全分割送信が指定されている場合、送信すべきファイル数は送信対象の文書または原稿のページ数に相当する数である。また、指定分割送信が指定されている場合、送信対象の文書または原稿を指定された分割単位で分割した際の分割数に相当する数である。そして、ＣＰＵ１０８は、取得された送信ファイル数に基づいて送信すべきファイルがあるか否かを判定する（ステップＳ４０５）。
【００３２】
上記ステップＳ４０５において送信すべきファイルがあると判定されると、図６に示すように、ＣＰＵ１０８は、メモリ１０９の送信ページ数を初期化し（ステップＳ４０６）、ファイルをオープンすなわち作成する（ステップＳ４０７）。そして、ＣＰＵ１０８は、指定されたデータ内に送信すべきページがあるか否かを判定する（ステップＳ４０８）。ここで、指定されたデータ内に送信すべきページがあると判定された場合、ＣＰＵ１０８は、送信すべきページのデータを、指定されたファイルフォーマットのイメージデータに変換する（ステップＳ４０９）。そして、ＣＰＵ１０８は、上記ステップＳ４０７でオープンされた送信ファイルに上記ステップＳ４０９で指定されたフォーマットに変換されたイメージデータを格納する（ステップＳ４１０）。
【００３３】
次いで、ＣＰＵ１０８は、メモリ１０９内のページカウンタをインクリメントし（ステップＳ４１２）、処理を上記ステップＳ４０８に戻す。
【００３４】
そして、上記ステップＳ４０８において送信すべきページがないと判定されると、ＣＰＵ１０８は、送信形態に応じたページのイメージデータが格納されているファイルを送信し（ステップＳ４１１）、当該ファイルをクローズする（ステップＳ４１４）。そして、ＣＰＵ１０８は、処理を上記ステップＳ４０５に戻す。
【００３５】
上記ステップＳ４０５において送信すべきファイルがないと判定された場合、文書または原稿に対する送信が終了したので、ＣＰＵ１０８は、相手先との間で確立されたコネクションを切断し（ステップＳ４１３）、本処理を終了する。
【００３６】
上記手順においてマルチモード送信が指定されている場合、送信ファイル数「１」の取得（ステップＳ４０４）、１つのファイルの作成（ステップＳ４０７）、全ページのデータから指定されたフォーマットのイメージデータへの変換および１つのファイルへの格納（ステップＳ４０８〜ステップＳ４１２）、全ページのイメージデータが含まれる１つのファイルの送信（ステップＳ４１１，Ｓ４１４，Ｓ４０５，Ｓ４１３）が行われる。
【００３７】
全分割送信の場合、送信ファイル数としてページ数分のファイル数の取得（ステップＳ４０４）が行われる。例えばデータが１０ページであれば、ファイル数として「１０」が取得される。そして、１つのファイルの作成（ステップＳ４０７）と、１ページ分のデータのイメージデータへの変換および当該イメージデータのファイルへの格納（ステップＳ４０８〜ステップＳ４１２）と、当該ファイルの送信（ステップＳ４１１，Ｓ４１４，Ｓ４０５）が、ページ数分繰り返し行われる。
【００３８】
指定分割送信の場合は、送信ファイル数としてページ数分のファイル数の取得が行われる（ステップＳ４０４）。例えばデータが９ページであり、分割単位が３ページであれば、９ページのデータは、３つのページ群に分割されるので、ファイル数として「３」が取得される。そして、１つのファイルの作成（ステップＳ４０７）と、分割されたページ群のイメージデータへの変換および当該イメージデータのファイルへの格納（ステップＳ４０８〜ステップＳ４１２）と、当該ファイルの送信（ステップＳ４１１，Ｓ４１４，Ｓ４０５）が、ページ群数分繰り返し行われる。
【００３９】
このように、本実施形態では、複数ページの画像データを任意のページ数単位で分割して送信することができる。
【００４０】
なお、本発明の目的は、前述した各実施形態の機能を実現するソフトウエアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることはいうまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることはいうまでもない。
【００４１】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることはいうまでもない。
【００４２】
以下、本発明の実施態様を列挙する。
【００４３】
［実施態様１］  入力された画像データを指定された宛先に送信するためのデータ送信システムにおいて、入力された複数ページの画像データを送信する際の送信形態として、第１送信形態および第２送信形態のいずれかを指定する送信形態指定手段と、前記指定された送信形態に応じて前記入力された複数ページの画像データの送信を行う送信手段とを備え、前記送信手段は、前記第１送信形態が指定された場合、前記入力された複数ページの画像データを、所定フォーマットで規定される１つのファイルとして送信し、前記第２送信形態が指定された場合、前記入力された複数ページの画像データを所定単位で複数の画像データ郡に分割し、分割された各画像データ群をそれぞれ所定フォーマットで規定される個別のファイルとして送信することを特徴とするデータ送信システム。
【００４４】
［実施態様２］  前記入力された複数ページの画像データを分割する所定単位は、１ページ単位であることを特徴とする実施態様１記載のデータ送信システム。
【００４５】
［実施態様３］  前記入力された複数ページの画像データを分割する所定単位は、任意のページ数単位であることを特徴とする実施態様１記載のデータ送信システム。
【００４６】
［実施態様４］  前記所定フォーマットは、１ファイルに複数ページを持つことが可能なフォーマットであることを特徴とする実施態様１ないし３のいずれか１つに記載のデータ送信システム。
【００４７】
［実施態様５］  前記所定フォーマットは、ＴＩＦＦ（Ｔａｇ  Ｉｍａｇｅ  Ｆｏｒｍａｔ  Ｆｉｌｅ）ＰＤＦ（Ｐｏｒｔａｂｌｅ  Ｄｏｃｕｍｅｎｔ  Ｆｏｒｍａｔ）であることを特徴とする実施態様４記載のデータ送信システム。
【００４８】
［実施態様６］  入力された画像データを指定された宛先に送信するためのデータ送信方法において、
入力された複数ページの画像データを送信する際の送信形態として、第１送信形態および第２送信形態のいずれかを指定する送信形態指定工程と、
前記指定された送信形態に応じて前記入力された複数ページの画像データの送信を行う送信工程とを備え、
前記送信工程では、前記第１送信形態が指定された場合、前記入力された複数ページの画像データを、所定フォーマットで規定される１つのファイルとして送信し、前記第２送信形態が指定された場合、前記入力された複数ページの画像データを所定単位で複数の画像データ郡に分割し、分割された各画像データ群をそれぞれ所定フォーマットで規定される個別のファイルとして送信することを特徴とするデータ送信方法。
【００４９】
［実施態様７］  前記入力された複数ページの画像データを分割する所定単位は、１ページ単位であることを特徴とする実施態様６記載のデータ送信方法。
【００５０】
［実施態様８］  前記入力された複数ページの画像データを分割する所定単位は、任意のページ数単位であることを特徴とする実施態様６記載のデータ送信方法。
【００５１】
［実施態様９］  前記所定フォーマットは、１ファイルに複数ページを持つことが可能なフォーマットであることを特徴とする実施態様６ないし８のいずれか１つに記載のデータ送信方法。
【００５２】
［実施態様１０］  前記所定フォーマットは、ＴＩＦＦ（Ｔａｇ  Ｉｍａｇｅ  Ｆｏｒｍａｔ  Ｆｉｌｅ）、ＰＤＦ（Ｐｏｒｔａｂｌｅ  Ｄｏｃｕｍｅｎｔ  Ｆｏｒｍａｔ）であることを特徴とする実施態様９記載のデータ送信方法。
【００５３】
［実施態様１１］  入力された画像データを指定された宛先に送信するためのデータ送信を制御するプログラムにおいて、
入力された複数ページの画像データを送信する際の送信形態として、第１送信形態および第２送信形態のいずれかを指定する送信形態指定ステップと、
前記指定された送信形態に応じて前記入力された複数ページの画像データの送信を行う送信ステップとを備え、
前記送信ステップでは、前記第１送信形態が指定された場合、前記入力された複数ページの画像データを、所定フォーマットで規定される１つのファイルとして送信し、前記第２送信形態が指定された場合、前記入力された複数ページの画像データを所定単位で複数の画像データ郡に分割し、分割された各画像データ群をそれぞれ所定フォーマットで規定される個別のファイルとして送信することを特徴とするプログラム。
【００５４】
［実施態様１２］  実施態様１１記載のプログラムをコンピュータ読み取り可能に格納したことを特徴とする記憶媒体。
【００５５】
【発明の効果】
以上説明したように、本発明によれば、入力された複数ページの画像データを送信する際の送信形態として、第１送信形態が指定された場合、入力された複数ページの画像データを、所定フォーマットで規定される１つのファイルとして送信し、第２送信形態が指定された場合、入力された複数ページの画像データを所定単位で複数の画像データ郡に分割し、分割された各画像データ群をそれぞれ所定フォーマットで規定される個別のファイルとして送信するので、ユーザの意図に応じて複数ページの画像データの送信を行うことができるとともに、複数ページの画像データをそれぞれ同じ宛先に対して個別のファイルとして送信する場合の操作を簡素化することができる。
【図面の簡単な説明】
【図１】本発明の第１実施形態に係るデジタル複合機の構成を示すブロック図である。
【図２】図１の操作部１０５に表示されるダイアログの一例を示す図である。
【図３】図１のデジタル複合機におけるデータ送信機能の処理の手順を示すフローチャートである。
【図４】図１のデジタル複合機におけるデータ送信機能の処理の手順を示すフローチャートである。
【図５】本発明の第２実施形態に係るデジタル複合機におけるデータ送信機能の処理の手順を示すフローチャートである。
【図６】本発明の第２実施形態に係るデジタル複合機におけるデータ送信機能の処理の手順を示すフローチャートである。
【図７】本発明の第２実施形態に係るデジタル複合機におけるページ分割を指示するダイアログの一例を示す図である。
【符号の説明】
１０２  制御部
１０４  スキャナ部
１０５  操作部
１０６  受信Ｉ／Ｆ
１０７  送信Ｉ／Ｆ
１０８  ＣＰＵ
１０９  メモリ
【図１】
2004282322.tif 000003
【図２】
2004282322.tif 000004
【図３】
2004282322.tif 000005
【図４】
2004282322.tif 000006
【図５】
2004282322.tif 000007
【図６】
2004282322.tif 000008
【図７】
2004282322.tif 000009